【事件の表示】
　特願２００２−３２０８１８「画像入力装置」拒絶査定不服審判事件〔平成１６年　６月　３日出願公開、特開２００４−１５７２１３〕について、次のとおり審決する。
【結　論】
　本件審判の請求は、成り立たない。
【理　由】
第１　手続の経緯
　本願は、平成１４年（２００２年）年１１月５日を出願日とする出願（特願２００２−３２０８１８号）であって、平成１９年５月１１日付で拒絶査定がなされ、これに対して、平成１９年６月２１日付で拒絶査定不服審判の請求がなされ、平成１９年７月１７日付で手続補正がなされたものである。
　
第２　平成１９年７月１７日付の手続補正についての補正の却下の決定について
　
［補正の却下の決定の結論］
　平成１９年７月１７日付の手続補正（以下、「本件補正」という。）を却下する。
　
１　本件補正について
　本件補正により、特許請求の範囲は、平成１９年４月２６日付手続補正書の特許請求の範囲の記載の、
「【請求項１】　原稿の画像を読み取るために原稿面に光を照射する原稿照明装置を備えた画像入力装置であって、
　前記原稿照明装置が、複数個のＬＥＤをほぼ直線状に配列して成るＬＥＤアレイと、そのＬＥＤアレイから射出した光束を原稿面に導く照明光学系とを備え、前記照明光学系が、前記ＬＥＤの配列方向に光束を拡散させる機能と、前記ＬＥＤの配列方向に対して垂直な方向に光束を集光させる機能と、前記ＬＥＤの配列方向における光束の広がりを抑えるように前記ＬＥＤアレイの中央寄りに光束を集光させるコンデンサ機能と、を有することを特徴とする画像入力装置。
　【請求項２】　前記照明光学系が、前記コンデンサ機能を持つ自由曲面から成る正パワーのレンズ面を有することを特徴とする請求項１記載の画像入力装置。
　【請求項３】　前記照明光学系が反射面のみで構成されていることを特徴とする請求項１又は２記載の画像入力装置。
　【請求項４】　前記ＬＥＤの配列間隔が６．３５ｍｍ以上であるか、あるいは複数個のＬＥＤから成るＬＥＤ群の配列間隔が６．３５ｍｍ以上であることを特徴とする請求項１，２又は３記載の画像入力装置。
　【請求項５】　請求項１〜４のいずれか１項に記載の画像入力装置と、その画像入力装置で入力された画像を出力する画像出力装置と、を備えたことを特徴とする画像形成装置。」が　
　
「【請求項１】　原稿の画像を読み取るために原稿面に光を照射する原稿照明装置を備えた画像入力装置であって、
　前記原稿照明装置が、複数個のＬＥＤをほぼ直線状に配列して成るＬＥＤアレイと、そのＬＥＤアレイから射出した複数の光束を原稿面に導く照明光学系とを備え、前記照明光学系が、前記ＬＥＤの配列方向に各光束を拡散させる機能と、前記ＬＥＤの配列方向に対して垂直な方向に各光束を集光させる機能と、前記ＬＥＤの配列方向における原稿面の外側に向けた複数の光束の全体の広がりを抑えるように、原稿面の全幅における中央寄りに複数の光束の全体を集光させるコンデンサ機能と、を有することを特徴とする画像入力装置。
　【請求項２】　前記照明光学系が、前記コンデンサ機能を持つ自由曲面から成る正パワーのレンズ面を有することを特徴とする請求項１記載の画像入力装置。
　【請求項３】　前記ＬＥＤの配列間隔が６．３５ｍｍ以上であるか、あるいは複数個のＬＥＤから成るＬＥＤ群の配列間隔が６．３５ｍｍ以上であることを特徴とする請求項１又は２記載の画像入力装置。
　【請求項４】　請求項１〜３のいずれか１項に記載の画像入力装置と、その画像入力装置で入力された画像を出力する画像出力装置と、を備えたことを特徴とする画像形成装置。」と補正された。
　
　そして、この補正は、
（１）請求項１において、「ＬＥＤアレイから射出した光束」を「ＬＥＤアレイから射出した複数の光束」とする補正。
（２）請求項１において、「ＬＥＤの配列方向に光束を拡散させる機能」を「ＬＥＤの配列方向に各光束を拡散させる機能」とする補正。
（３）請求項１において、「ＬＥＤの配列方向に対して垂直な方向に光束を集光させる機能」を「ＬＥＤの配列方向に対して垂直な方向に各光束を集光させる機能」
（４）請求項１において、「前記ＬＥＤの配列方向における光束の広がりを抑えるように前記ＬＥＤアレイの中央寄りに光束を集光させるコンデンサ機能」を「前記ＬＥＤの配列方向における原稿面の外側に向けた複数の光束の全体の広がりを抑えるように、原稿面の全幅における中央寄りに複数の光束の全体を集光させるコンデンサ機能」とする補正
（５）補正前の請求項３を削除して、補正前の請求項４，５を、それぞれ、補正後の請求項３，４とし、それぞれの請求項において引用する請求項を整合させる補正。
からなる。
　
　上記（１）の補正は、「光束」が「複数の光束」であることを特定したものであり、特許請求の範囲のいわゆる限定的減縮を目的とするものに該当する。
　上記（２）の補正は、ＬＥＤの配列方向において、「光束」を拡散させる機能が、「各光束」を拡散させる機能であることを特定したものであり、特許請求の範囲のいわゆる限定的減縮を目的とするものに該当する。
　上記（３）の補正は、ＬＥＤの配列方向に対して垂直な方向において、「光束」を集光させる機能が、「各光束」を集光させる機能であることを特定したものであり、特許請求の範囲のいわゆる限定的減縮を目的とするものに該当する。
　上記（４）の補正は、ＬＥＤの配列方向のコンデンサ機能について、対象とする「光束」が、「原稿面の外側に向けた複数の光束の全体」であることを特定したものであり、特許請求の範囲のいわゆる限定的減縮を目的とするものに該当する。
　上記の（５）の補正は、請求項の削除を目的とするものに該当する。
　以上より、上記（１）ないし（４）の補正は、上記補正は、平成１８年改正前特許法第１７条の２第４項第２号に掲げる事項を目的とするものであり、上記（５）の補正は同法第１７条の２第４項第１号に掲げる事項を目的とするものである。
　上記補正は、平成１８年改正前特許法第１７条の２第４項第２号に掲げる事項を目的とするものを含むものであるから、次に、本件補正により補正された特許請求の範囲に記載された事項により特定される発明が特許出願の際独立して特許を受けることができるものであるか（平成１８年改正前特許法第１７条の２第５項において準用する特許法第１２６条第５項の規定に適合するか）について検討する。。
　
２　独立特許要件違反についての検討
　本件補正後の特許請求の範囲の請求項１に係る発明（以下、「本願補正発明」という。）が特許出願の際独立して特許を受けることができるものであるかについて検討する。
（１）本願補正発明
　補正された明細書及び図面の記載からみて、本願補正発明は、平成１９年７月１７日付手続補正書の特許請求の範囲の請求項１の記載によって特定される次のとおりのものである。
「原稿の画像を読み取るために原稿面に光を照射する原稿照明装置を備えた画像入力装置であって、
　前記原稿照明装置が、複数個のＬＥＤをほぼ直線状に配列して成るＬＥＤアレイと、そのＬＥＤアレイから射出した複数の光束を原稿面に導く照明光学系とを備え、前記照明光学系が、前記ＬＥＤの配列方向に各光束を拡散させる機能と、前記ＬＥＤの配列方向に対して垂直な方向に各光束を集光させる機能と、前記ＬＥＤの配列方向における原稿面の外側に向けた複数の光束の全体の広がりを抑えるように、原稿面の全幅における中央寄りに複数の光束の全体を集光させるコンデンサ機能と、を有することを特徴とする画像入力装置。」
　
（２）引用例
　原査定の拒絶の理由に引用され、本願の出願前に頒布された刊行物である特開２００１−７７９７５号公報（以下、「引用例１」という。）には、図面の記載とともに以下の事項が記載されている。
　
「【０００９】本願発明の第１の側面によれば、画像読み取り装置が提供される。この画像読み取り装置は、光源装置と、一定方向に延びる少なくとも１以上の透明部材を具備して構成されており、かつ上記光源装置から発せられた光を上記透明部材内に進行させてライン状の読み取り対象領域に導くように光の入出射を行なう光入射面および光出射面を有する導光手段と、上記読み取り対象領域からの反射光を受ける複数の受光素子と、を有する、画像読み取り装置であって、上記導光手段の上記光入射面から上記光出射面に至るまでの光路途中には、空隙部と、上記透明部材内を進行する光を上記空隙部に出射する第１の中間面と、この第１の中間面に上記空隙部を介して対面する第２の中間面とのそれぞれが少なくとも１以上ずつ設けられているとともに、上記第１の中間面と上記光入射面との少なくとも一方は、上記透明部材の短手方向断面視において光の屈折が可能な第１の凸状面とされており、かつ上記第１の中間面の全体または一部は、上記透明部材の長手方向断面視において光の屈折が可能な複数の第２の凸状面とされていることを特徴としている。
【００１０】本願発明においては、次のような効果が得られる。
【００１１】第１に、導光手段の光入射面と第１の中間面との少なくとも一方は、透明部材の短手方向断面視において光の屈折が可能な第１の凸状面とされているために、光源装置から発せられた光がこの第１の凸状面を通過するときには屈折することとなり、その光は大きな広がり角度をもって分散しないようにできる。すなわち、本願発明においては、光源装置から発せられる光が一定の広がり角度をもつ光であっても、その光を上記第１の凸状面の作用により、透明部材の短手方向断面視において光束密度の高い平行光線またはそれに近い光線にすることができる。したがって、透明部材内に入射した光が種々の方向に分散して光出射面に到達する以前に透明部材の外部に漏出する割合を少なくすることができ、読み取り対象領域に対する光の照射効率を高めることが可能となる。
【００１２】第２に、第１の中間面の全体または一部は、透明部材の長手方向断面視において光の屈折が可能な複数の第２の凸状面とされているために、これら複数の第２の凸状面を光が通過して空隙部に出射するときには、やはり屈折し、この光が大きな広がり角度をもたないものにすることができる。このようにすると、第２の中間面に対する光の入射角を小さくすることができ、空隙部に出射した光を多くの割合で第２の中間面を介して透明部材内に再入射させることができるのである。第１の中間面から大きな広がり角度のまま光を出射させた場合には、その光の中には、第２の中間面に対する入射角が大きくなって第２の中間面によって全反射されてしまう光が多く発生する虞れがあるものの、本願発明においてはそのような虞れを適切に解消することができる。したがって、透明部材内を進行する光の量を確保し、読み取り対象領域に最終的に照射される光量を多くすることができるのである。
【００１３】本願発明の好ましい実施の形態においては、上記第１の中間面のうち、上記各第２の凸状面とされている領域は、上記第１の凸状面としても形成されている。
【００１４】このような構成によれば、上記第１の中間面の各第２の凸状面とされている領域は、透明部材の短手方向断面視において光の分散を少なくするように光を屈折させる作用をも発揮することとなる。したがって、透明部材内に進行した光を光出射面に一層効率良く導くことが可能となる。
【００１５】本願発明の他の好ましい実施の形態においては、上記光源装置は、複数のＬＥＤ光源が間隔を隔てて列状に配列されたものであり、かつ上記各第２の凸状面は
、上記各ＬＥＤ光源に対向している。」
　
「【００１９】本願発明の他の好ましい実施の形態においては、上記導光手段は、上記光入射面および上記第１の中間面が形成された第１の透明部材と、上記光出射面および上記第２の中間面が形成された第２の透明部材と、を具備して構成されている。本願発明においては、このように導光手段を２つの透明部材を用いて構成することもできる。
【００２０】本願発明の他の好ましい実施の形態においては、上記第２の中間面のうち、上記各第２の凸状面に対面する領域は、上記透明部材の長手方向断面視において上記各第２の凸状面よりも大きな曲率の凹状曲面とされている。
【００２１】このような構成によれば、第１の中間面から空隙部に出射した光が第２の中間面の凹状曲面とされた領域を介して透明部材内に再入射したときに、この光を透明部材の長手方向断面視において一定の広がり角度をもって進行するように屈折させることができる。このような光の屈折が生じさせると、透明部材の光出射面の長手方向各所に対して光を略均等に進行させることが可能となる。したがって、ライン状の読み取り対象領域の各所の照度を均一にし、読み取り画像の画質を高めることが可能となる。」
　
「【００３６】図３（ｂ）によく表れているように、透明部材６０には、略円弧状を有する複数の空隙部６５がこの透明部材６０の長手方向に一定ピッチｐ１で並べられて設けられている。ただし、透明部材６０の長手方向両端に位置する２つの空隙部６５ａに限っては、他の空隙部６５を２分した形態とされている。複数の空隙部６５のピッチｐ１は、光源装置５の複数のＬＥＤ光源５０の配列ピッチと同一である。各空隙部６５は、透明部材６０をその短手方向に貫通した孔である。このため、図４によく表れているように、透明部材６０の長手方向のうち、各空隙部６５が設けられている複数個所においては、空隙部６５を挟んで互いに対向する面として、第１の中間面６３と第２の中間面６４とが設けられている。
【００３７】第１の中間面６３は、図４に示す透明部材６０の短手方向断面視において適当な曲率半径Ｒ２の２つの曲面どうしが滑らかに繋がった上向きの凸状面として形成されているとともに、図６に示す透明部材６０の長手方向断面視においても適当な曲率半径Ｒ３で湾曲した上向きの凸状面として形成されている。したがって、本実施形態における第１の中間面６３の全体は、本願発明でいう第１の凸状面として形成されているとともに、本願発明でいう第２の凸状面としても形成されている。
【００３８】第２の中間面６４は、図４に示す透明部材６０の短手方向断面視においては平面状であるとともに、図６に示す透明部材６０の長手方向断面視においては適当な曲率半径Ｒ４で湾曲した凹状曲面となるように形成されている。ただし、透明部材６０の長手方向断面視における第２の中間面６４の曲率（曲率半径の逆数）は、第１の中間面６３の曲率よりも大きくされており、空隙部６５の縦方向の幅は、その中心線Ｃ１上の幅ｓ１よりもそれから離れた部分の幅ｓ２の方が狭くなっている。」
　
「【００４０】次に、上記構成の画像読み取り装置Ａの作用について説明する。
【００４１】図１において、各ＬＥＤ光源５０を発光させると、その光は一定の広がり角度をもって導光部材６の光入射面６１に入射し、透明部材６０の内部に進行する。この光の進行状況を、透明部材６０の短手方向断面視でみた場合、まず凸状面として形成された光入射面６１が凸レンズと同様な作用を発揮することにより、この光入射面６１を通過するときに光の屈折現象が生じ、透明部材６０内に入り込んだ光はその広がり角度が小さくされて透明部材６０の第２の側面６０Ｂに向けて進行する。また、各ＬＥＤ光源５０の直上には空隙部６５が設けられているために、光入射面６１を介して透明部材６０内に進行した光の殆どは、凸状面として形成された第１の中間面６３を通過することとなり、この第１の中間面６３を通過するときにさらに屈折する。したがって、透明部材６０の短手方向断面視における光の広がり角度は、第１の中間面６３を光が通過した時点でさらに小さくなり、たとえば透明部材６０内に進行した光を平行光線またはそれに近い光線にして第２の側面６０Ｂに効率良く導くことができる。このようにすれば、各ＬＥＤ光源５０から透明部材６０内に入り込んだ光の多くを、第２の側面６０Ｂに対してこの透明部材６０の全反射臨界角（たとえば４５°）よりも小さい入射角で入射させることができ、その光を第２の側面６０Ｂによって光出射面６２の方向に適切に全反射させることができる。その結果、光出射面６２から読み取り対象領域Ｓに向けて出射する光量を多くすることができる。
【００４２】次に、図２に示すように、各ＬＥＤ光源５０から発せられた光を透明部材６０の長手方向断面視においてみた場合においても、この光は一定の広がり角度をもって透明部材６０の光入射面６１に入射し、透明部材６０内を進行する。ただし、既述したとおり、各ＬＥＤ光源５０の直上には各空隙部６５が対応して設けられているために、それらの光の殆どは各第１の中間面６３に到達する。各第１の中間面６３は、透明部材６０の長手方向断面視においても凸状面とされているために、各第１の中間面６３から各空隙部６５内に出射した光の広がり角度は、小さくなる。その結果、各第１の中間面６３から各空隙部６５に出射した光がその後第２の中間面６４に入射するときの入射角を小さくすることができ、第２の中間面６４によって多くの光が全反射されないようにすることができる。
【００４３】上記した事項を理解し易くするため、本願発明との対比例を図７に示す。同図に示すように、第１の中間面６3'と第２の中間面６4'とを透明部材６０の長手方向断面視において平面状にした場合には、第１の中間面６3'を通過した光が大きな広がり角度をもったまま進行するため、第２の中間面６4'に対する光の入射角θが大きくなり、その値が全反射臨界角よりも大きくなる場合がある。そうすると、その光は第２の中間面６4'によって全反射され、もはや透明部材６０内には再入射できなくなる。仮に、透明部材６０内に再入射できたとしても、その光は光出射面６２の方向には進行しない光となる。このような現象が生じたのでは、光出射面６２からの光の出射量が少なくなる。ところが、上記したように、この画像読み取り装置Ａにおいては、そのような現象を適切に解消させることができるのである。
【００４４】また、この画像読み取り装置Ａにおいては、図６を参照して説明したとおり、第２の中間面６４の曲率が第１の中間面６３の曲率よりも大きくされていることにより、図２に示すように、第１の中間面６３から出射した光は第２の中間面６４に入射した時点において屈折する。その際の光の屈折方向は、透明部材６０の長手方向に光が大きく広がる方向となる。したがって、第２の中間面６４から透明部材６０内に再入射した光は、透明部材６０の長手方向断面視においては大きく広がりながら第２の側面６０Ｂに向かって進行することとなる。その結果、第２の側面６０Ｂを経て光出射面６２から出射する光の量は、光出射面６２の長手方向各所において均一化されることとなる。その結果、読み取り対象領域Ｓの長手方向各所の照度のばらつきを少なくすることが可能となる。このように、この
画像読み取り装置Ａにおいては、導光部材６の短手方向断面視と長手方向断面視とのいずれの方向においても光のロスを少なくして、照明効率を高めることができるとともに、読み取り対象領域Ｓの照度の均一化を図ることができるため、画質の高い読み取り画像を得ることが可能となる。」
　
上記記載事項から、
ア　「画像読み取り装置が提供される。この画像読み取り装置は、光源装置と、一定方向に延びる少なくとも１以上の透明部材を具備して構成されており、かつ上記光源装置から発せられた光を上記透明部材内に進行させてライン状の読み取り対象領域に導く」ものであること、（【０００９】）
イ　「上記光源装置は、複数のＬＥＤ光源が間隔を隔てて列状に配列されたもの」であること、（【００１５】）
ウ　「上記光源装置から発せられた光を上記透明部材内に進行させてライン状の読み取り対象領域に導くように光の入出射を行なう光入射面および光出射面を有する導光手段」を有すること、（【０００９】）
エ　「上記導光手段の上記光入射面から上記光出射面に至るまでの光路途中には、空隙部と、上記透明部材内を進行する光を上記空隙部に出射する第１の中間面と、この第１の中間面に上記空隙部を介して対面する第２の中間面とのそれぞれが少なくとも１以上ずつ設けられている」こと、（【０００９】）
オ　「各ＬＥＤ光源５０の直上には空隙部６５が設けられている」こと（【００４１】）
カ　「第２の中間面６４から透明部材６０内に再入射した光は、透明部材６０の長手方向断面視においては大きく広がりながら第２の側面６０Ｂに向かって進行することとなる。その結果、第２の側面６０Ｂを経て光出射面６２から出射する光の量は、光出射面６２の長手方向各所において均一化されることとなる」こと、（【００４４】）
キ　「各ＬＥＤ光源５０の直上には空隙部６５が設けられているために・・・透明部材６０の短手方向断面視における光の広がり角度は、第１の中間面６３を光が通過した時点でさらに小さく」なること、（【００４１】）
ク　「各ＬＥＤ光源５０から発せられた光を透明部材６０の長手方向断面視においてみた場合においても、・・・各第１の中間面６３から各空隙部６５内に出射した光の広がり角度は、小さくなる。」こと、（【００１２】）
が、引用例１の記載事項として抽出される。
　
　上記の記載事項エから、第１中間面及び第２中間面は、透明部材と空隙部の境界面に形成されたものということができ、そして上記の記載事項オから、透明部材と空隙部の境界面に形成された第１中間面及び第２中間面は、ともに、ＬＥＤから発された光を、「各光束毎に」、屈折させるものであるということができる。
　また、上記の記載事項エと記載事項カ乃至クから、導光手段の光路途中に設けられた「第１の中間面」及び「第２の中間面」によって、導光手段は記載事項カ乃至クに記載された機能を有するものであるといえる。具体的には、「導光手段」が、「第２の中間面」によって「再入射した光」を「透明部材６０の長手方向断面視においては大きく広がりながら第２の側面６０Ｂに向かって進行」させる機能、「第１の中間面」によって「透明部材６０の短手方向断面視における光の広がり角度」を「小さく」する機能、及び、「第１の中間面」によって「透明部材６０の長手方向断面視においてみた場合においても、・・・各第１の中間面６３から各空隙部６５内に出射した光の広がり角度」を「小さく」する機能を有しているといえる。そして、上記のように「第１中間面及び第２中間面」は、「ＬＥＤから発された光を、「各光束毎に」、屈折させるものであることをも勘案して、上記の記載事項エと記載事項カ乃至クから抽出される、導光手段の機能についての事項をまとめると、「導光手段が、再入射した光を各光束毎に、透明部材６０の長手方向断面視においては大きく広げながら第２の側面６０Ｂに向かって進行させる機能、透明部材６０の短手方向断面視における光の各光束毎の広がり角度を小さくする機能、及び、透明部材６０の長手方向断面視においてみた場合においても各第１の中間面６３から各空隙部６５内に出射した光の各光束毎の広がり角度を小さくする機能を有している」ことが記載されているといえる。
　上記の点を参酌すれば、上記記載事項及び図面の記載からみて、引用例１には、
「光源装置及び光源装置から発せられた光をライン状の読み取り対象領域に光を導く透明部材を具備する画像読み取り装置であって、
　上記光源装置は、複数のＬＥＤ光源が間隔を隔てて列状に配列されたものであり、上記透明部材内に上記光源装置から発せられた光を進行させてライン状の読み取り対象領域に導くように光の入出射を行なう光入射面および光出射面を有する導光手段を備え、導光手段が、再入射した光を各光束毎に、透明部材６０の長手方向断面視においては大きく広げながら第２の側面６０Ｂに向かって進行させる機能、透明部材６０の短手方向断面視における光の各光束毎の広がり角度を小さくする機能、及び、透明部材６０の長手方向断面視においてみた場合においても光の各光束毎の広がり角度を小さくする機能を有している画像読み取り装置」の発明（以下、「引用発明」という。）の記載が認められる。
　
（３）対比
　ここで、引用発明と本願補正発明とを対比する。
　引用発明の「光源装置及び光源装置から発せられた光をライン状の読み取り対象領域に光を導く透明部材」が、本願補正発明の「原稿の画像を読み取るために原稿面に光を照射する原稿照明装置」に相当し、また、引用発明の「画像読み取り装置」が本願補正発明の「画像入力装置」に相当する。
　引用発明の「上記光源装置は、複数のＬＥＤ光源が間隔を隔てて列状に配列されたもの」である点が、本願補正発明の「前記原稿照明装置が、複数個のＬＥＤをほぼ直線状に配列して成るＬＥＤアレイ」を備える点に相当する。
　引用発明の「上記透明部材内に上記光源装置から発せられた光を進行させてライン状の読み取り対象領域に導くように光の入出射を行なう光入射面および光出射面を有する導光手段を備え」る点が、本願補正発明の「そのＬＥＤアレイから射出した複数の光束を原稿面に導く照明光学系とを備え」る点に相当する。
　引用発明の「透明部材６０の長手方向」が、本願補正発明の「ＬＥＤの配列方向」と同じ方向であるから、引用発明の「再入射した光を各光束毎に、透明部材６０の長手方向断面視においては大きく広げながら第２の側面６０Ｂに向かって進行させる機能」が、本願補正発明の「前記ＬＥＤの配列方向に各光束を拡散させる機能」に相当する。
　同様に、引用発明の「透明部材６０の短手方向」が、本願補正発明の「ＬＥＤの配列方向に対して垂直な方向」と同じ方向であるから、引用発明の「透明部材６０の短手方向断面視における光の各光束毎の広がり角度を小さくする機能」が、本願補正発明の「前記ＬＥＤの配列方向に対して垂直な方向に各光束を集光させる機能」に相当する。
　さらに、引用発明の「透明部材６０の長手方向断面視においてみた場合においても光の各光束毎の広がり角度を小さくする機能」と、本願補正発明の「前記ＬＥＤの配列方向における原稿面の外側に向けた複数の光束の全体の広がりを抑えるように、原稿面の全幅における中央寄りに複数の光束の全体を集光させるコンデンサ機能」とは、「前記ＬＥＤの配列方向に集光させる機能」である点で一致しする。
　したがって、本願補正発明と引用発明は、
「原稿の画像を読み取るために原稿面に光を照射する原稿照明装置を備えた画像入力装置であって、
　前記原稿照明装置が、複数個のＬＥＤをほぼ直線状に配列して成るＬＥＤアレイと、そのＬＥＤアレイから射出した複数の光束を原稿面に導く照明光学系とを備え、前記照明光学系が、前記ＬＥＤの配列方向に各光束を拡散させる機能と、前記ＬＥＤの配列方向に対して垂直な方向に各光束を集光させる機能と、前記ＬＥＤの配列方向における原稿面の外側に向けた複数の光束の全体の広がりを抑えるように、原稿面の全幅における中央寄りに複数の光束の全体を集光させるコンデンサ機能と、を有することを特徴とする画像入力装置。」の発明である点で一致し、次の点で相違する。
　
相違点；
　ＬＥＤの配列方向に集光させる機能について、本願補正発明が「ＬＥＤの配列方向における原稿面の外側に向けた複数の光束の全体の広がりを抑えるように、原稿面の全幅における中央寄りに複数の光束の全体を集光させるコンデンサ機能」であるのに対し、引用発明にはそのような限定がない点。
　
（４）当審の判断
　上記相違点について検討する。
　ＬＥＤを備える原稿照明装置において、「照明光の複数の光束の全体をＬＥＤの配列方向に集光させるコンデンサ機能」を有することは、例えば、
・特開平９−１８６５５号公報（【００２８】【００２９】【図３】【図４】）
・特開平１１−３１７１０８号公報（【００５７】【図５】）
・特開平９−３００７０１号公報（【００２５】【００２６】【図８】【図９】）
・実願昭６３−１１５９５９号（実開平２−３８８６５号）のマイクロフィルム（第７ページ第４行〜第８ページ第１４行及び第第１図、第４図）
にも記載されているように周知の技術である。
　そして、ＬＥＤを備える原稿照明装置である点で同じ技術分野に属する引用発明においても、複数の光束の全体の広がりを抑えるために、上記周知技術を採用して、「ＬＥＤの配列方向における原稿面の外側に向けた複数の光束の全体の広がりを抑えるように、原稿面の全幅における中央寄りに複数の光束の全体を集光させるコンデンサ機能」を備える構成とすることは、当業者が容易に想到し得た事項である。
　すなわち、上記相違点に係る発明特定事項を得ることは、上記周知技術を採用することにより、当業者が容易に想到し得たことである。
　
　そして、本願補正発明によってもたらされる効果は、上記引用発明及び上記周知技術から当業者が予測し得る程度のものである。
　
　したがって、本願補正発明は、引用例１に記載された発明、及び従来周知の技術事項に基づいて当業者が容易に発明をすることができたものである。
　
（５）むすび
　以上のとおり、本願補正発明は、引用例１に記載された発明、及び従来周知の技術事項に基づいて、当業者が容易に発明をすることができたものであるから、特許法第２９条第２項の規定により特許を受けることができない。
　よって、本件補正は、平成１８年改正前特許法第１７条の２第５項で準用する同法第１２６条第５項の規定に違反するものであるから、特許法第１５９条第１項で読み替えて準用する同法第５３条第１項の規定により却下されるべきものである。
　　
第３　本願発明について
１　本願発明
　平成１９年７月１７日付の手続補正は上記のとおり却下されたので、本願の請求項に係る発明は、平成１９年４月２６日付手続補正書の特許請求の範囲の請求項１ないし５に記載された事項により特定されるものであるところ、その請求項１に係る発明（以下、「本願発明」という。）は、上記「第２　平成１９年７月１７日付の手続補正についての補正の却下の決定について」の「１　本件補正について」において記載した次のとおりのものである。
「原稿の画像を読み取るために原稿面に光を照射する原稿照明装置を備えた画像入力装置であって、
　前記原稿照明装置が、複数個のＬＥＤをほぼ直線状に配列して成るＬＥＤアレイと、そのＬＥＤアレイから射出した光束を原稿面に導く照明光学系とを備え、前記照明光学系が、前記ＬＥＤの配列方向に光束を拡散させる機能と、前記ＬＥＤの配列方向に対して垂直な方向に光束を集光させる機能と、前記ＬＥＤの配列方向における光束の広がりを抑えるように前記ＬＥＤアレイの中央寄りに光束を集光させるコンデンサ機能と、を有することを特徴とする画像入力装置。」
　　
２　引用例
　原査定の拒絶の理由に引用された刊行物の記載事項は、上記「第２　平成１９年７月１７日付の手続補正についての補正の却下の決定について」の「２　独立特許要件違反についての検討」の「（２）引用例」に記載したとおりのものである。
　
３　対比・判断
　本願発明は、本願補正発明から、上記「第２　平成１９年７月１７日付の手続補正についての補正の却下の決定について」の「１　本件補正について」で述べた、
（１）「光束」が「複数の光束」であることを特定した限定、
（２）ＬＥＤの配列方向において、「光束」を拡散させる機能が、「各光束」を拡散させる機能であることを特定した限定、
（３）ＬＥＤの配列方向に対して垂直な方向において、「光束」を集光させる機能が、「各光束」を集光させる機能であることを特定した限定、
（４）ＬＥＤの配列方向のコンデンサ機能について、対象とする「光束」が、「原稿面の外側に向けた複数の光束の全体」であることを特定した限定、
の４つの限定を省いたものである。
　そうすると、本願発明の構成要件をすべて含み、さらに他の構成要件を付加したものに相当する本願補正発明が、上記「第２　平成１９年７月１７日付の手続補正についての補正の却下の決定について」の「２　独立特許要件違反についての検討」において記載したとおり、引用例１に記載された発明、及び従来周知の技術事項に基づいて、当業者が容易に発明をすることができたものであるから、本願発明も、同様に、引用例１に記載された発明、及び従来周知の技術事項に基づいて、当業者が容易に発明をすることができたものである。
　
４　むすび
　以上のとおり、本願発明は、引用例１に記載された発明、及び従来周知の技術事項に基づいて、当業者が容易に発明をすることができたものであるから、特許法第２９条第２項の規定により特許を受けることができない。
　
　よって、結論のとおり審決する。